(57)【特許請求の範囲】
【請求項１】
固定桟と可動桟とを少しの隙間を設けて交互に平行に配置してなるスノコを該桟材の長手方向に傾斜状なるように支持してその長手方向に進退動させることにより該スノコ上の塊状物を滑落させるとともに、該可動桟を上下動させ該スノコ上の塊状物を滑落中に揺動させることを特徴としたコンクリート塊等の塊状物定量供給装置。
【請求項２】
固定桟と可動桟とを少しの隙間を設けて交互に平行に配置してなるスノコを該桟材の長手方向に傾斜状なるように支持してその長手方向に進退動させることにより該スノコ上の塊状物を滑落させるとともに、該可動桟の下端部を回転自在に枢支し上端部を偏心輪に連繋し該偏心輪を回転させることで該可動桟を上下動させ該スノコ上の塊状物を滑落中に揺動させることを特徴としたコンクリート塊等の塊状物定量供給装置。
【発明の詳細な説明】
【０００１】
【発明の属する技術分野】
本発明はコンクリート塊等の塊状物と混在する土砂等を該塊状物から分離させ該塊状物のみを破砕機等に定量供給する装置に関するものである。
【０００２】
【従来の技術】
下記特許文献１および特許文献２により公開された本発明者の特許出願に係るコンクリート塊投入装置は、ジョークラッシャ等の破砕機に大小のコンクリート塊をホッパー内で詰まらせることなく円滑に供給できるようにするものである。
【０００３】
【特許文献１】
特開２０００−３０１０２１号公報
【特許文献２】
特開２００１−０６２３１８号公報
【０００４】
【発明が解決しようとする課題】
ところでコンクリート塊の廃材には、一般に土砂、その他の粉粒状物が混在しているが、これらが塊状物と混じって例えばジョークラッシャに供給されると、処理効率が悪くなるとともに、粉粒状物が破砕歯間に噛み込まれ離れなくなるために、塊状物を破砕するのを邪魔し作業性を悪化させるおそれがあった。
【０００５】
そこで本発明は、コンクリート塊等の塊状物に混在する土砂等を該塊状物から予め分離させ、塊状物だけを破砕機等に供給し得る定量供給装置を提供し、ジョークラッシャ等による塊状物の破砕が一層円滑になされるようにするものである。
【０００６】
【課題を解決するための手段】
そのために本発明に係るコンクリート塊等の塊状物定量供給装置は、コンクリート塊等の塊状物に混在する土砂等を該塊状物から予め分離させ、塊状物だけを破砕機等に供給し得る定量供給装置を提供し、ジョークラッシャ等による塊状物の破砕が一層円滑になされるようにすることを特徴とする。
また本発明に係るコンクリート塊等の塊状物定量供給装置は、固定桟と可動桟とを少しの隙間を設けて交互に平行に配置してなるスノコを該桟材の長手方向に傾斜状なるように支持してその長手方向に進退動させることにより該スノコ上の塊状物を滑落させるとともに、該可動桟の下端部を回転自在に枢支し上端部を偏心輪に連繋し該偏心輪を回転させることで該可動桟を上下動させ該スノコ上の塊状物を滑落中に揺動させることを特徴とする。
【０００７】
【発明の実施の形態】
次に本発明の実施の形態を図面と共に説明する。図１はこの塊状物定量供給装置の縦断面図、図２はそのＡ−Ａ線断面図、図３はＢ−Ｂ線断面図、図４はＣ−Ｃ線断面図、図５はＤ−Ｄ線断面図、図６は図５のＥ−Ｅ線断面図である。Ｈ形鋼からなる機台１上に一対のローラ２とローラ３を夫々回転自在に設け、ローラ２よりもローラ３を少し高く位置させ、該両ローラ上にレール部材４を架すことで長方形状の枠体５を長手方向に傾斜角度が５度程度の緩やかな傾斜状なるように支持する。該枠体５は、図２に示されるように、横断面略Ｔ字形に組み合わされた複数本の固定桟６と横断面略Ｔ字形に組み合わされた複数本の可動桟７とを少しの隙間を設けて交互に配置することでスノコ８を構成する。また、機台１上に支持片９を設けて流体シリンダ１０を支持し、その作動軸１１を枠体５の底面に突設した支持片１２に枢着することにより、該流体シリンダ１０の作動で該スノコ８が矢印で示したように長手方向に進退動するように構成する。なお、複数本の固定桟６のうち両側縁に位置している固定桟６ａは他より少し幅広に形成されている。また、該各固定桟６および固定桟６ａは図５にｗ１とｗ２の差として示されるように下方に向かい漸次幅狭なるようにテーパ状に形成されたものであることから可動桟７との隙間が下方に向かい漸次広くなるようにしている。
【０００８】
そして、図５に示されるように、複数本の固定桟６と固定桟６ａは、その傾斜下端部を枠体５上にボルト１３によって固着し、傾斜上端部を枠体５上にボルト１４によって固着している。また、図４に示したように、枠体５の傾斜下端部上に固定桟６と固定桟６ａに貫挿することで横軸１７が設けられ、該横軸１７に固定桟６の両側に位置するようにカラー１８を介在させて所定の隙間を設けるとともに、可動桟７の傾斜下端部に該横軸１７を貫挿することで該可動桟の下端部を該横軸１７に回転自在に枢支する。また、該可動桟７の傾斜上端部をフランジ１９を介して可動ビーム２０に固着し、図６に示したように、枠体５上にブラケット２３を固着し該ブラケットに設けた一対のローラ２１により該可動ビーム２０を両端面より挟着し、該可動ビームを上下動自在に支持する。
【０００９】
図５に示されるように、２５は該可動ビーム２０をモータ２６によって上下動させるための機構で、枠体５上に設けられた軸受２７により回転軸２８が支持され、該モータ２６の回転がチェン２２を介して該回転軸２８に伝達されるようにしている。また、該回転軸２８に一対の偏心輪２９が固着され、該各偏心輪の外周に遊嵌された外輪３０を可動ビーム２０の背面に固着されたコ字状金具３１に支持している。なお、３２はスノコ８の両側縁に起立状に設けた側板、３３はスノコ８の傾斜下部に連なるように傾斜状に設けられた落下案内シュートである。
【００１０】
一方、３５は外枠フレーム３６によりスノコ８の上部に支持した塊状物投入用ホッパー、３７は該投入用ホッパーの下端開口縁に延設されたスカート板、３８は該投入用ホッパーの下端開口縁に止着された薄板状のゴムからなる弾性板、３９は該投入用ホッパーの外周面に固着された振動発生機である。
【００１１】
図７，図８はこの塊状物定量供給装置の使用状態を示すもので、５０は機台１上によりスノコ８の下方に支持された排出用ホッパー、５１は該排出用ホッパーの下に設けられたコンベヤ、５２は上記落下案内シュート３３の下方に設けられた破砕機である油圧作動式のジョークラッシャ、５３は該ジョークラッシャの下に設けられたコンベヤ、５４は両コンベヤ５１，５３の集合コンベヤ、５５は該集合コンベヤの終端部に設けられた振動傾斜篩、５６，５７は該振動傾斜篩によって分級された砂利，土砂等の区画置場である。なお、５８は該ジョークラッシャの入口部に吊下され電気的導通の変動によって塊状物の有無を検知するセンサである。
【００１２】
この装置では、図７に示したように例えばショベルドーザ６０により投入用ホッパー３５に投入されたコンクリート塊５９は、傾斜状に支持されたスノコ８上に乗載し、流体シリンダ１０の作動で該スノコ８が進退動することから順に滑落し落下案内シュート３３を通してジョークラッシャ５２に定量供給することができる。そして該コンクリート塊５９に付着していた土砂、その他の粉粒状物は固定桟６可動桟７との隙間から落下し排出用ホッパー５０に排出されることからジョークラッシャ５２にこれらの粉粒状物が混じって供給される割合は非常に少なくできる。
【００１３】
また、モータ２６の駆動により回転軸２８，偏心輪２９が回転され、外輪３０，コ字状金具３１，可動ビーム２０を上下動させることから該可動ビーム２０に上端部が固着された複数本の可動桟７が図９に示したように横軸１７を支点として上下動し、該可動桟７上に乗っている滑落中のコンクリート塊５９を上下動させることから、コンクリート塊５９に付着している粉粒状物がその衝撃で震い落とされるとともに、該コンクリート塊５９が投入用ホッパー３５内にて詰まることなく常にスムースに供給することができる。
【００１４】
このため、上記センサ５８によりジョークラッシャ５２の入口部のコンクリート塊５９の有無を検知し、コンクリート塊が無くなったら流体シリンダ１０，モータ２６等を作動させ新たなコンクリート塊を供給できるようになる。
【００１５】
【発明の効果】
このように本発明に係る塊状物定量供給装置は、固定桟と可動桟とを少しの隙間を設けて交互に平行に配置してなるスノコを該桟材の長手方向に傾斜状なるように支持してその長手方向に進退動させることにより該スノコ上の塊状物を滑落させるとともに、該可動桟を上下動させ該スノコ上の塊状物を滑落中に揺動させるようにしたので、塊状物と混在する土砂等の粉粒状物を該塊状物から分離させ可及的に塊状物のみを破砕機等に定量供給でき、破砕の必要のない粉粒状物が破砕機等に供給され破砕の邪魔するのを防ぎ処理効率を向上させる有益な効果がある。
【図面の簡単な説明】
【図１】本発明の実施形態を示す塊状物定量供給装置の縦断面図。
【図２】図１のＡ−Ａ線断面図。
【図３】図１のＢ−Ｂ線断面図。
【図４】図１のＣ−Ｃ線断面図。
【図５】図１のＤ−Ｄ線断面図。
【図６】図５のＥ−Ｅ線断面図。
【図７】本発明に係るコンクリート塊破砕設備の側面図。
【図８】図７の平面図。
【図９】図１の作動状態図。
【符号の説明】
１        機台
２，３    ローラ
６        固定桟
７        可動桟
８        スノコ
１０      流体シリンダ
１７      横軸
２０      可動ビーム
２６      モータ
２８      回転軸
２９      偏心輪
３０      外輪
３３      落下案内シュート
３５      塊状物投入用ホッパー
５０      排出用ホッパー
５２      ジョークラッシャ
５８      センサ
５９      コンクリート塊
【図１】
0003657933.tif 000002
【図２】
0003657933.tif 000003
【図３】
0003657933.tif 000004
【図４】
0003657933.tif 000005
【図５】
0003657933.tif 000006
【図６】
0003657933.tif 000007
【図７】
0003657933.tif 000008
【図８】
0003657933.tif 000009
【図９】
0003657933.tif 000010